(57)【要約】椅子用フットレストは、椅子の台座の底面の両側に固定される基体スライドブロック（１）と、対応する基体スライドブロック（１）にスライディング可能に設けられたスライドロッド（２）と、２つのスライドロッド（２）の間に設けられたフットレストクッション（７）とを含み、基体スライドブロック（１）上に、スライドロッド（２）のスライディングに適したローリングボール（１２）が設置されている。スライドロッド（２）と基体スライドブロック（１）との摩擦が小さく、摩耗が少なく、扱いやすく、フットレストの実用性および使用寿命が向上する。
2016506796.tif 000002
【特許請求の範囲】
【請求項１】
椅子の台座の底面の両側に固定される基体スライドブロック（１）と、対応する前記基体スライドブロック（１）に、スライディング可能に設けられたスライドロッド（２）と、２つの前記スライドロッド（２）の間に設けられたフットレストクッション（７）と、を含む椅子用フットレストであって、
前記基体スライドブロック（１）上に、前記スライドロッド（２）のスライディングに適したローリングボール（１２）が設置されていることを、特徴とする椅子用フットレスト。
【請求項２】
前記基体スライドブロック（１）上に、前記スライドロッド（２）を嵌め込むためのスライドホール（１１）が設けられており、
前記ローリングボール（１２）は、前記スライドホール（１１）の内壁とスライドロッド（２）の外壁との間に設置されていることを、特徴とする請求項１に記載の椅子用フットレスト。
【請求項３】
前記スライドホール（１１）内に、ローリングソケット（１３）が設けられており、
前記ローリングソケット（１３）上に、ローリングボール（１２）を嵌入するためのスロットが開設されていることを、特徴とする請求項２に記載の椅子用フットレスト。
【請求項４】
前記スロットの幅が前記ローリングボール（１２）の直径よりも小さいことを、特徴とする請求項３に記載の椅子用フットレスト。
【請求項５】
前記スロットは、ストリップ状、または対応するローリングボール（１２）とマッチする円孔状であることを、特徴とする請求項３または４に記載の椅子用フットレスト。
【請求項６】
２つの前記スライドロッド（２）の間には、回転可能に前記スライドロッド（２）と連結された回転中軸（３）が設けられており、
前記回転中軸（３）上に、フットレストクッション（７）を固定するための山型鋼固定材（４）が設けられていることを、特徴とする請求項５に記載の椅子用フットレスト。
【請求項７】
前記スライドロッド（２）には、回転ホール（５１）と、回転ホール（５１）と同軸のスライドウェイ（５２）とが開設された成型スライドブロック（５）が設けられており、
前記回転中軸（３）の両端の各々は、対応する前記回転ホール（５１）内に嵌入しており、
前記スライドウェイ（５２）内では、前記スライドウェイ（５２）の両端に当接可能で且つ前記回転中軸（３）と連動するブロッキングキー（６）が、スライディング可能に連結されていることを、特徴とする請求項６に記載の椅子用フットレスト。
【請求項８】
前記スライドウェイ（５２）が形成するラジアンは２π／３〜πであることを、特徴とする請求項７に記載の椅子用フットレスト。
【請求項９】
前記フットレストクッション（７）に永久磁石（７１）が設けられていることを、特徴とする請求項６に記載の椅子用フットレスト。
【請求項１０】
前記成型スライドブロック（５）上に、嵌入用スロット（５３）が開設されており、
前記基体スライドブロック（１）上に、前記嵌入用スロット（５３）とマッチする突起（１４１）を有するバネ材（１４）が固定連結されていることを、特徴とする請求項７に記載の椅子用フットレスト。
【発明の詳細な説明】
【技術分野】
【０００１】
本発明は、家庭用具やオフィス用具、特に椅子に関し、具体的には椅子用フットレストに関する。
【背景技術】
【０００２】
現在、従来の分離型フットレストの代わりに、スペースを大幅に節約できる一体型フットレスが市販されている。中でも、伸縮式フットレスは、椅子の脚部を利用して椅子の台座の下方にフットレスを効率よく収納することができるため、椅子全体の美観が保たれる。例えば、特許文献１には、基台上に設けられたシートを含むフットレス付き椅子が開示されている。該基台の左右両側には、フットレスと固定連結しているスライドレールが内蔵されたガイドレールが固定されている。
【先行技術文献】
【特許文献】
【０００３】
【特許文献１】中国実用新案公報ＣＮ２０１００８４５６Ｙ号明細書
【発明の概要】
【発明が解決しようとする課題】
【０００４】
しかし、このようなスライド構造では、ガイドレールおよびスライドレールが摩耗しやすいという問題がある。
【０００５】
本発明は、スライドロッドと基体スライドブロックとの摩擦が小さく、摩耗が少なく、扱いやすく、フットレストの実用性および使用寿命を向上させる椅子用フットレストを提供することを目的とする。
【課題を解決するための手段】
【０００６】
本発明の上述した技術的目的は、下記の技術的構成により実現される。すなわち、椅子の台座の底面の両側に固定される基体スライドブロックと、対応する前記基体スライドブロックに、スライディング可能に設けられたスライドロッドと、２つの前記スライドロッドの間に設けられたフットレストクッションとを含み、前記基体スライドブロック上に、前記スライドロッドのスライディングに適したローリングボールが設置されている椅子用フットレストにより、実現される。
【０００７】
本発明の好ましい形態として、前記基体スライドブロック上に、前記スライドロッドを嵌め込むためのスライドホールが設けられており、前記ローリングボールは、前記スライドホールの内壁とスライドロッドの外壁との間に設置されている。
【０００８】
本発明の好ましい形態として、前記スライドホール内に、ローリングソケットが設けられており、前記ローリングソケット上に、ローリングボールを嵌入するためのスロットが開設されている。
【０００９】
本発明の好ましい形態として、前記スロットの幅が前記ローリングボールの直径よりも小さい。
【００１０】
本発明の好ましい形態として、前記スロットは、ストリップ状、または対応するローリングボールとマッチする円孔状である。
【００１１】
本発明の好ましい形態として、２つの前記スライドロッドの間には、回転可能に前記スライドロッドと連結された回転中軸が設けられており、前記回転中軸上に、フットレストクッションを固定するための山型鋼固定材が設けられている。
【００１２】
本発明の好ましい形態として、前記スライドロッドには、回転ホールと、回転ホールと同軸のスライドウェイとが開設された成型スライドブロックが設けられており、前記回転中軸の両端の各々は、対応する前記回転ホール内に嵌入しており、前記スライドウェイ内では、前記スライドウェイの両端に当接可能で且つ前記回転中軸と連動するブロッキングキーが、スライディング可能に連結されている。
【００１３】
本発明の好ましい形態として、前記スライドウェイが形成するラジアンは２π／３〜πである。
【００１４】
本発明の好ましい形態として、前記フットレストクッションに永久磁石が設けられている。
【００１５】
本発明の好ましい形態として、前記成型スライドブロック上に、嵌入用スロットが開設されており、前記基体スライドブロック上に、前記嵌入用スロットとマッチする突起を有するバネ材が固定連結されている。
【００１６】
本発明のフットレストが椅子の台座の下に収納されているときは、バネ材上の突起が嵌入用スロット内に嵌入しているため、椅子の姿勢を変えるなどの際に不要な位置ズレが生じ難い。
【００１７】
以上により、本発明は次の有益な効果を奏する。すなわち、本実施例は、新しく簡単な構成であるため、実施しやすい。また、基体スライドブロックの特別な構成により、スライドロッドと基体スライドブロックとの間の摩擦係数が低くなり、摩耗が抑制され、本発明の使用寿命が向上する。また、回転ホール内での回転中軸の回転により、山型鋼固定材に固定されたフットレストクッションをスライドロッド同士間の領域内へ畳み込んだり、展開したりすることができるため、収納状態のフットレストの長さを減らし、椅子の構造をよりコンパクトにすることができる。また、フットレストクッション上に設置した永久磁石によれば、フットレストクッションが椅子の台座の下方に収納されているときは、永久磁石と椅子の台座の下のトレーとの間で磁力吸引が発生する。そのため、椅子の姿勢を変えるなどのとき、不要な位置ズレが生じ難い。さらに、嵌入用スロットおよびバネ材の構成によれば、本発明のフットレストが椅子の台座に収納されているときは、椅子の姿勢を変えるなどの際に不要な位置ズレがさらに生じ難くなる。
【図面の簡単な説明】
【００１８】
【図１】実施例１の構成の模式図である。
【図２】実施例１の基体スライドブロックの構成の模式図である。
【図３】実施例１の成型スライドブロックの構成の模式図である。
【図４】実施例１の別視角の構成の模式図である。
【図５】実施例２の構成の模式図である。
【図６】実施例２のバネ材の構成の模式図である。
【発明を実施するための形態】
【００１９】
以下は、図面に基づき本発明をより詳細に説明する。
【００２０】
なお、本発明の具体的な実施例は、単に本発明に対する解釈であり、本発明を限定するものではない。また、当業者は、本願明細書を閲読した後、本願特許請求の範囲が特許法により保護される範囲内で、本発明の実施例に対し、創造的な貢献を伴わない変更を必要に応じて行うことが可能である。
＜実施例１＞
図１〜４に示すように、椅子用フットレストは、椅子の台座の底面の両側に固定される基体スライドブロック１を含む。基体スライドブロック１には、ローリングソケット１３を内蔵するスライドホール１１が設けられている。スライドホール１１の両端には、ローリングソケット１２がスライドホール１１から滑り落ちるのを防止するための堰き止めリング（図示せず）が設けられている。ローリングソケット１３上は、スロットが開設されており、該スロット内はローリングボール１２が設けられている。該スロットの幅は、ローリングボール１２の直径よりやや小さい。スライドホール１１内は、スライドロッド２が嵌り込んでいる。前記ローリングソケット１３は、ローリングボール１２がスライドロッド２の外壁とスライドホール１１の内壁との間に位置するように、スライドロッド２とスライドホール１１の内壁との間に位置している。なお、前記スロットは図示していない。
【００２１】
スライドロッド２の一端には、成型スライドブロック５が固定設置されている。成型スライドブロック５上には、回転ホール５１、および回転ホール５１と同軸のスライドウェイ５２が開設されている。スライドウェイ５２が形成するラジアンは２π／３〜πであり、好ましくは３５π／３６〜πであり、本実施例では３５π／３６である。２つの回転ホール５１の間には、回転中軸３が回転可能に連結されている。回転中軸３上の両側には、フットレストクッション７を固定するための山型鋼固定材４が固定連結されている。
【００２２】
スライドウェイ５２内では、スライドウェイ５２の両端に当接可能で且つ回転中軸３と連動するブロッキングキー６が、スライディング可能に連結されている。なお、本実施例では、ブロッキングキー６が山型鋼固定材４上に固定されている。収納したいときは、回転中軸３の回転を利用してブロッキングキー６をスライドウェイ５２の内寄り端に当接させ、フットレストクッション７を完全に２つのスライドロッド２の間に位置するように変位させてから、スライドロッド２を介してフットレストクッション７を椅子の台座の下方へ押し込めばよい。また、展開したいときは、スライドロッド２を介してフットレストクッション７を引き出し、回転中軸３の回転を利用してブロッキングキー６をスライドウェイ５２の外寄り端に当接させれば、使用可能となる。
【００２３】
本実施例では、椅子の姿勢を変えるなどのときに不要な位置ズレが生じ難くするために、フットレストクッション７の片側壁に永久磁石７１が設けられている。これにより、フットレストクッションが椅子の台座の下方に収納されているときは、永久磁石７１と、椅子の台座の下のトレーとの間で磁力吸引が発生する。
【００２４】
また、本実施例の基体スライドブロックは、上述した構成でなくてもよい。例えば、基体スライドブロック上に直線式スロットを開設し、スライドロッドが該スロット内をスライドするように、スライドロッドのスライディングに適したローリングボールを該スロット内に設置してもよい。
＜実施例２＞
図５〜６に示すように、成型スライドブロック５上に嵌入用スロット５３が開設されており、基体スライドブロック１に、嵌入用スロット５３とマッチする突起１４１を有するバネ材１４が固定連結されており、フットレストクッション７の一方の表面上に、永久磁石７１が固定設置された実装フレーム７２が固定されていること以外は、実施例１と同様である。
【符号の説明】
【００２５】
１−基体スライドブロック
１１−スライドホール
１２−ローリングボール
１３−ローリングソケット
１４−バネ材
１４１−突起
２−スライドロッド
５−成型スライドブロック
５１−回転ホール
５２−スライドウェイ
５３−嵌入用スロット
３−回転中軸
４−山型鋼固定材
６−ブロッキングキー
７−フットレストクッション
７１−永久磁石
７２−実装フレーム
【図１】
2016506796.tif 000003
【図２】
2016506796.tif 000004
【図３】
2016506796.tif 000005
【図４】
2016506796.tif 000006
【図５】
2016506796.tif 000007
【図６】
2016506796.tif 000008
【国際調査報告】
2016506796.tif 000009
2016506796.tif 000010
2016506796.tif 000011
2016506796.tif 000012